(57)【要約】【課題】本発明はゴルフクラブのダウンスイング及びインパクト時に安定した且つ高い慣性モーメントを生み、飛距離増大効果が確実に達成されるゴルフクラブヘッドを提供する。【解決手段】ヘッド１内にヒール６からトウ７方向において隣接する複数の中空室３を並設し、該各中空室３をソール形成壁に面して配置し、該各中空室３内に上記粉粒体又は液体から成る重錘９を封入し、該各中空室３に上記重錘９を注入するための開閉可能な注出入口８を設けたゴルフクラブヘッド。【選択図】        図７
2005185652.tif 000002
【特許請求の範囲】
【請求項１】
ヘッド内にヒールからトウ方向において隣接する複数の中空室を並設し、該各中空室をソール形成壁に面して配置し、該各中空室内に上記粉粒体又は液体から成る重錘を封入し、該各中空室に上記重錘を注入するための開閉可能な注出入口を設けたことを特徴とするゴルフクラブヘッド。
【発明の詳細な説明】
【技術分野】
【０００１】
本発明はゴルフクラブのスイング時にヘッド全体に安定した高慣性モーメントを生起せしめるようにしたゴルフクラブヘッドに関する。
【背景技術】
【０００２】
特許文献１にはゴルフクラブヘッド内に金属粉粒体を封入し、クラブスイング時に該金属粉粒体がヘッド後端の中央部（フェースプレートのスイートスポットと対向する位置）に集中し、ゴルフボールとのインパクトの瞬間に上記金属粉粒体を上記フェースプレートのスイートスポットに衝突せしめてフェースプレートの反発力を高め、飛距離アップを図らんとするゴルフクラブヘッドが開示されている。
【特許文献１】特開平８−１５５０５９号公報
【発明の開示】
【発明が解決しようとする課題】
【０００３】
而して上記先行例はスイング時に金属粉粒体をヘッド後端中央部に集中させ、該金属粉粒体をインパクト時にスイートスポットに集中して衝突せしめる効果を意図したものであるが、該金属粉粒体は内方へ撓まんとするフェースプレートに逆方向の力を与えて同プレートの反発力を減殺したり、金属粉粒体がフェースプレートへ向け散乱しスイングの安定性を損なう恐れを内在している。
【０００４】
又先行例は金属粉粒体をヘッドの中央部で挙動せしめ、上記スイートスポットへの衝突力を生起せしめることのみを意図しているが、金属粉粒体がヘッドの中央部で挙動し、又散乱する問題を有しているため安定で且つ高い慣性モーメントを得ることが困難である。
【課題を解決するための手段】
【０００５】
本発明はゴルフクラブヘッドに安定で且つ高い慣性モーメントを付与し、フェースプレートのスイートスポット乃至ヘッド全体に外乱要因を与えることなくヘッドスピードの増加乃至飛距離アップが望め、ゴルファーの個人差に応じた重量調整が効果的に行える低重心のゴルフクラブヘッドを提供するものである。
【０００６】
このゴルフクラブヘッドはヘッド内にトウからヒール方向において隣接する複数の中空室を並設し、該各中空室をソール形成壁に面して配置し、該各中空室内に上記粉粒体又は液体から成る重錘を封入し、該各中空室に上記重錘を注入するための開閉可能な注出入口を設けた構造としたものである。
【発明の効果】
【０００７】
上記粉粒体又は液体から成る重錘のスイング及びインパクト時における挙動が各中空室内に制限されつつ、クラブシャフトのグリップから最も遠いソール形成壁に面した底部領域に限定され、スイング及びインパクト時に安定した且つ高い慣性モーメントを生み、所期の飛距離増大効果が確実に達成される。
【０００８】
又ヒールからトウ方向において並設した中空室の個々において上記粉粒体又は液体から成る重錘が挙動するため、ヘッド全体の安定なスイングを保証しつつ、上記慣性モーメントの増大効果が得られると共に、ボールを打ち損なった時にヘッドを回転せしめる力を抑止するギア効果が期待できミスショットを最小限に抑えることができる。
【発明を実施するための最良の形態】
【０００９】
以下本発明を実施するための最良の形態を図１乃至図７に基づいて説明する。図面はアイアンクラブを図示しているが、本発明はアイアンクラブ及びウッドクラブから成るゴルフクラブに適用が可能である。
【００１０】
図１乃至図５に示すように、ゴルフクラブヘッド１内に粉粒体又は液体から成る重錘９を封入してヘッド重量を調整する手段として、該ヘッド１内にヒール６からトウ７方向において隣接する複数の中空室３を並設し、該各中空室３をソール形成壁４に面して配置する。
【００１１】
上記各中空室３はソール形成壁４と、ソール形成壁４から立ち上げたフェースプレート２内側の前壁１０と、ヘッド１のソール形成壁端に続く後壁１１と、該前壁１０と後壁１１間のソール形成壁４と対向する上壁１２と、隔壁１３とによって画成される。
【００１２】
即ち上記各中空室３はシャフト５のグリップから最も離れたヘッド１の底部に位置を限定して配置し、且つヒール６からトウ７方向において隣接するように複数並設し、好ましくは重錘９がフェースプレート２に干渉しない構造とする。
【００１３】
上記各中空室３内には上記粉粒体又は液体から成る重錘９を遊びを有するように封入し、該各中空室３に上記重錘９の開閉可能な注出入口８を設け、ゴルファーの個人差に応じ、各注出入口８から各中空室３内に封入される重錘９の量を調整する。
【００１４】
上記各注出入口８は中空室３毎に設け、一例として図１乃至図５に示すように、各注出入口８をゴルフクラブヘッド１の後壁１１に並設する。
【００１５】
図１，図２，図３は上記注出入口８を雌ねじ孔１４によって形成し、該各注出入口８を開閉する手段として、該各雌ねじ孔１４を有頭雄ねじ１５から成る開閉栓を以って閉鎖し、該有頭雄ねじ１５を解除することにより注出入口８を開放して上記重錘９を各中空室３内へ遊びを有するように適量注入するか、又は排出して重量調整を行う。
【００１６】
又上記有頭雄ねじ１５の雌ねじ孔１４への螺合により注出入口８を閉鎖し、重錘９を各中空室３に封入する。
【００１７】
又は上記各注出入口８を開閉する手段として、図４乃至図６に示すように、上記各中空室３の後端面を開放して上記注出入口８を形成すると共に、該各注出入口８を開閉蓋１６によって閉鎖する。
【００１８】
一例として図４、図５に示すように、一枚の開閉蓋１６で全ての注出入口８を閉鎖するようにし、該開閉蓋１６の解除により全ての注出入口８を開放し、各中空室３への重錘９の注出入を可能とする。
【００１９】
他例として図６に示すように、各中空室３の注出入口８を個別に開閉蓋１６で閉鎖する構造にし、開閉蓋１６を個別に解除して注出入口８を通じての重錘９の注出入が個別に行えるようにした場合を示す。
【００２０】
上記開閉蓋１６は雄ねじ１７を用いてヘッド１に締結し、各中空室３を閉鎖する。雄ねじ１７が螺合される雌ねじ孔１８は中空室３の画成壁に設ける。
【００２１】
上記粉粒体の重錘９としては、比重の大きい金属、例えばタングステンやモリブデンの金属粉粒体、又は高比重樹脂の粉粒体を適用し、又上記液体の重錘９としてはオイル等を適用する。
【００２２】
図７に示すように、ゴルフクラブのスイング時のトップからインパクトに至るダウンスイングの過程において、上記粉粒体又は液体から成る重錘９は遠心力により上記各中空室３の後壁１１に押し付けられつつ、ヘッド１のヒール６からトウ７に亘り安定で且つ高い慣性モーメントを生じてヘッドスピードを増加し、インパクト時においては後壁１１に押し付けられた重錘９が慣性により前方へ押し出されて前壁１０に衝撃的に衝突してヘッドスピードによるインパクト力（ボール１９を押し出す力）を更に増大し、飛距離アップを達成することができる。
【００２３】
上記粉粒体又は液体から成る重錘９は、ヘッド底部に限定し且つヒール６からトウ７方向に並設した各中空室３に制限されて挙動し、スイングブレのない安定したスイングを行え、ボール１９の飛行方向の安定化を図ることができる。
【図面の簡単な説明】
【００２４】
【図１】ゴルフクラブヘッドの底部に粉粒体又は液体から成る重錘を封入した複数の中空室を並設した例を、アイアンを以って示す背面図。
【図２】図１におけるＡ−Ａ線断面図
【図３】図１におけるＢ−Ｂ線断面図
【図４】上記各中空室の注出入口を一枚の開閉蓋にて閉鎖する例を示すゴルフクラブヘッドの背面図。
【図５】上記図４におけるＣ−Ｃ線断面図。
【図６】上記各中空室の注出入口を開閉蓋にて個々に閉鎖する例を示すゴルフクラブヘッドの背面図。
【図７】ゴルフクラブのダウンスイング時とインパクト時における上記重錘の挙動を説明する中空室部の横断面図。
【符号の説明】
【００２５】
１…ゴルフクラブヘッド、２…フェースプレート、３…中空室、４…ソール形成壁、５…シャフト、６…ヒール、７…トウ、８…注出入口、９…重錘、１０…前壁、１１…後壁、１２…上壁、１３…隔壁、１４…雌ねじ孔、１５…有頭雄ねじから成る開閉栓、１６…開閉蓋、１７…雄ねじ、１８…雄ねじ孔、１９…ボール
【図１】
2005185652.tif 000003
【図２】
2005185652.tif 000004
【図３】
2005185652.tif 000005
【図４】
2005185652.tif 000006
【図５】
2005185652.tif 000007
【図６】
2005185652.tif 000008
【図７】
2005185652.tif 000009